(57)【要約】【課題】故障が少なく、施工や撤収時の修復を容易かつ迅速に行えると共に、バリアフリー化に最適な間仕切引戸装置を提供する。【解決手段】鉛直面状に自立して個室を形成するための間仕切壁本体１と、間仕切壁本体１に平行面状に配設され個室の出入口を開状態と閉状態にするための引戸２と、を備え、さらに、間仕切壁本体１の上縁部18と引戸２の上縁部28とを連結する左右方向伸縮自在な上伸縮スライド部材３Ａと、間仕切壁本体１の下縁部19と引戸２の下縁部29とを連結する左右方向伸縮自在な下伸縮スライド部材３Ｂと、を備え、上伸縮スライド部材３Ａ及び下伸縮スライド部材３Ｂの伸縮によって、引戸２を左右方向収納引出し自在に構成した。【選択図】図２
2018035517.tif 000002
【特許請求の範囲】
【請求項１】
鉛直面状に自立して個室（Ｚ）を形成するための間仕切壁本体（１）と、該間仕切壁本体（１）に平行面状に配設され上記個室（Ｚ）の出入口（Ｅ）を開状態と閉状態にするための引戸（２）と、を備え、
さらに、上記間仕切壁本体（１）の上縁部（18）と上記引戸（２）の上縁部（28）とを連結する左右方向伸縮自在な上伸縮スライド部材（３Ａ）と、上記間仕切壁本体（１）の下縁部（19）と上記引戸（２）の下縁部（29）とを連結する左右方向伸縮自在な下伸縮スライド部材（３Ｂ）と、を備え、
上記上伸縮スライド部材（３Ａ）及び上記下伸縮スライド部材（３Ｂ）の伸縮によって、上記引戸（２）を左右方向収納引出し自在に構成したことを特徴とする間仕切引戸装置。
【請求項２】
上記引戸（２）は、上記上縁部（28）に、短縮状態の上記上伸縮スライド部材（３Ａ）を収容するために左右方向に沿って形成された上凹溝（21）を有し、かつ、上記下縁部（29）に、短縮状態の上記下伸縮スライド部材（３Ｂ）を収容するために左右方向に沿って形成された下凹溝（22）を有する請求項１記載の間仕切引戸装置。
【請求項３】
上記上伸縮スライド部材（３Ａ）及び上記下伸縮スライド部材（３Ｂ）は、上記間仕切壁本体（１）に固着される固定枠（31）と、該固定枠（31）に左右方向スライド自在に保持されるレール部材（32）と、該レール部材（32）に左右方向スライド自在に保持されると共に上記引戸（２）に固着されるスライダ部材（33）と、を備える請求項１又は２記載の間仕切引戸装置。
【請求項４】
上記間仕切壁本体（１）は、第１壁厚寸法（Ｔ11）をもって形成された第１壁部（11）と、該第１壁部（11）に沿って左右方向に隣接して配設され上記第１壁厚寸法（Ｔ11）よりも小さい第２壁厚寸法（Ｔ12）をもって形成された第２壁部（12）と、上記第１壁部（11）と上記第２壁部（12）との段差によって形成され開状態の上記引戸（２）が配設される戸収容空間部（10）と、を有し、
上記第２壁厚寸法（Ｔ12）は、上記第１壁厚寸法（Ｔ11）の４０％以上５５％以下に設定した請求項１，２又は３記載の間仕切引戸装置。
【請求項５】
閉状態の上記引戸（２）を目隠しするための化粧カバー部材（５）を備え、
上記化粧カバー部材（５）は、上記間仕切壁本体（１）に固着した請求項１，２，３又は４記載の間仕切引戸装置。
【発明の詳細な説明】
【技術分野】
【０００１】
本発明は、間仕切引戸装置に関する。
【背景技術】
【０００２】
従来の引戸装置としては、出入口を開閉するための引戸と、出入口の床面に設けた床レールと、出入口の上方位置に設けたガイドレールと、を備え、引戸の下端に取着した戸車を床レールに沿って走行させると共に、引戸の上端に取着したガイドローラを上ガイドレールに案内させ、引戸を開閉自在としたものが公知である（例えば、特許文献１参照）。
【先行技術文献】
【特許文献】
【０００３】
【特許文献１】特開平８−２９６３６１号公報
【発明の概要】
【発明が解決しようとする課題】
【０００４】
しかし、床レール及び上ガイドレールを設けると、施工や撤収時の修復に、手間と時間がかかるといった問題があった。また、床レールは、床面の清掃が困難になるといった問題や、通行者がつまずく虞れや、車椅子がスムーズに通行できない虞れがあり、バリアフリー化に適していないといった問題があった。また、床面の水平度に対応するように、床レールと引戸の水平度（レベル）を調整する必要があり、施工に手間がかかるといった問題があった。また、戸車は、床面のゴミ等異物の巻き付きや、脱輪等のトラブルが発生しやすいといった問題があった。
【０００５】
そこで、本発明は、故障が少なく、施工や撤収時の修復を容易かつ迅速に行えると共に、バリアフリー化に最適な間仕切引戸装置の提供を目的とする。
【課題を解決するための手段】
【０００６】
上記目的を達成するために、本発明の間仕切引戸装置は、鉛直面状に自立して個室を形成するための間仕切壁本体と、該間仕切壁本体に平行面状に配設され上記個室の出入口を開状態と閉状態にするための引戸と、を備え、さらに、上記間仕切壁本体の上縁部と上記引戸の上縁部とを連結する左右方向伸縮自在な上伸縮スライド部材と、上記間仕切壁本体の下縁部と上記引戸の下縁部とを連結する左右方向伸縮自在な下伸縮スライド部材と、を備え、上記上伸縮スライド部材及び上記下伸縮スライド部材の伸縮によって、上記引戸を左右方向収納引出し自在に構成したものである。
また、上記引戸は、上記上縁部に、短縮状態の上記上伸縮スライド部材を収容するために左右方向に沿って形成された上凹溝を有し、かつ、上記下縁部に、短縮状態の上記下伸縮スライド部材を収容するために左右方向に沿って形成された下凹溝を有するものである。
【０００７】
また、上記上伸縮スライド部材及び上記下伸縮スライド部材は、上記間仕切壁本体に固着される固定枠と、該固定枠に左右方向スライド自在に保持されるレール部材と、該レール部材に左右方向スライド自在に保持されると共に上記引戸に固着されるスライダ部材と、を備えるものである。
また、上記間仕切壁本体は、第１壁厚寸法をもって形成された第１壁部と、該第１壁部に沿って左右方向に隣接して配設され上記第１壁厚寸法よりも小さい第２壁厚寸法をもって形成された第２壁部と、上記第１壁部と上記第２壁部との段差によって形成され開状態の上記引戸が配設される戸収容空間部と、を有し、上記第２壁厚寸法は、上記第１壁厚寸法の４０％以上５５％以下に設定したものである。
また、閉状態の上記引戸を目隠しするための化粧カバー部材を備え、上記化粧カバー部材は、上記間仕切壁本体に固着したものである。
【発明の効果】
【０００８】
本発明によれば、出入口の床面を平坦にでき（床レールが不要で）床面を容易に清掃できると共に、バリアフリー化に最適である。撤収時の修復を容易かつ迅速に行うことができる。床面（設置面）の水平度の影響を受けず、施工を容易に行えると共にスムーズな開閉を実現できる。戸車による異物の巻き込みや脱輪等のトラブルが少なく耐久性に優れる。戸車やガイドローラによる揺れ（振れ）が無く、スムーズな開閉動作を安定して得ることができる。
【図面の簡単な説明】
【０００９】
【図１】本発明の実施の一形態を示す要部断面平面図である。
【図２】図１のＡ−Ａ断面図である。
【図３】図２のＢ−Ｂ断面図である。
【図４】閉状態の要部断面背面図である。
【図５】使用状態の一例を示す要部断面簡略平面図である。
【図６】使用状態の他例を示す要部断面簡略平面図である。
【図７】使用状態の別例を示す要部断面簡略平面図である。
【発明を実施するための形態】
【００１０】
以下、図示の実施形態に基づき本発明を詳説する。
本発明に係る間仕切引戸装置は、図１に示すように、会議室や応接室等の個室Ｚを形成するための正面視矩形状（長方形状）の間仕切壁本体１と、個室Ｚの出入口Ｅを開状態と閉状態にするための正面視矩形状（長方形状）の引戸２と、を備えている。
【００１１】
間仕切壁本体１は、鉛直面状の第１壁部11と、第１壁部11に沿って左右方向に隣接して配設され（左右一方に連設され）第１壁部11よりも薄肉の第２壁部12と、第１壁部11と第２壁部12との段差によって形成され開状態（全開位置）の引戸２が配設される戸収容空間部10と、を有している。
そして、間仕切壁本体１は、図２乃至図４に示すように、設置面（室内の床面）Ｇに固設され、鉛直面状に自立する。第１壁部11の表て面11ｄと第２壁部12の表て面12ｄは同一面状である。
【００１２】
図２乃至図４に於て、間仕切壁本体１の第２壁部12の上縁部18と引戸２の上縁部28とを連結する左右方向伸縮自在な上伸縮スライド部材３Ａと、間仕切壁本体１の第２壁部12の下縁部19と引戸２の下縁部29とを連結する左右方向伸縮自在な下伸縮スライド部材３Ｂを備えている。
【００１３】
上伸縮スライド部材３Ａ及び下伸縮スライド部材３Ｂの伸縮によって、戸収容空間部10に対して、引戸２を、左右方向収納引き出し自在（左右一方へ引き出し可能かつ左右他方へ収納可能）に構成している。
【００１４】
引戸２は、上縁部28に、短縮状態の上伸縮スライド部材３Ａを収容するために左右方向に沿って形成された上方開口状の上凹溝21を有している。
また、引戸２は、下縁部29に、短縮状態の下伸縮スライド部材３Ｂを収容するために左右方向に沿って形成された下方開口状の下凹溝22を有している。
また、上凹溝21及び下凹溝22は、左右他方へ開口している。言い換えると、上凹溝21及び下凹溝22の閉走行後尾部（開走行先頭部）は、左右方向に開口している。
【００１５】
また、引戸２は、左右一方側縁部（閉走行先頭側縁部）２ｇの前後面夫々に手掛け部や取手部等の開閉操作用の把持部を有している。
引戸２の開状態（全開位置）は、使用者が把持部を操作可能なように、左右一方側縁部２ｇを戸収容空間部10（第２壁部12の左右一方側縁12ｇ）から左右一方側へ突出状態としている。
【００１６】
図２乃至図４に示すように、上伸縮スライド部材３Ａ及び下伸縮スライド部材３Ｂ（以下、まとめて伸縮スライド部材３と呼ぶ場合もある）は、間仕切壁本体１に固着される固定枠31と、固定枠31に左右方向スライド自在に保持されるレール部材32と、レール部材32に左右方向スライド自在に保持されると共に引戸２に固着されるスライダ部材33と、を備えている。伸縮スライド部材３（固定枠31とレール部材32とスライダ部材33）は、正面視で左右方向に沿った帯形状である。
【００１７】
固定枠31は、横断面略コの字状であって、第１リテーナ部材に回転自在に保持された複数の摺動用第１鋼球34を介して（によって）、レール部材32を左右方向スライド自在、かつ、前後方向及び上下方向に移動不可能に、内嵌状に保持している。なお、図３及び図４に於て、第１リテーナ部材及び第１鋼球34は、図示省略している。
【００１８】
レール部材32は、横断面略コの字状であって、第２リテーナ部材に回転自在に保持された複数の摺動用第２鋼球35を介して（によって）、スライダ部材33を左右方向スライド自在、かつ、前後方向及び上下方向に移動不可能に、内嵌状に保持している。なお、図３及び図４に於て、第２リテーナ部材及び第２鋼球35は、図示省略している。
【００１９】
上伸縮スライド部材３Ａの固定枠31は、上取着部材71を介して、第２壁部12に固着している。上取着部材71は、第２壁部12の上縁部18に固着される上第１取着片部71ｄと、上第１取着片部71ｄに連設され第２壁部12寄りの上溝側壁部21ｆを上方から跨いで開状態の引戸２の上凹溝21内に侵入して配設され固定枠31が固着する上第２取着片部71ｅと、を有する横断面コの字状である。
【００２０】
上伸縮スライド部材３Ａのスライダ部材33は、上固着部材61を介して、引戸２に固着している。上固着部材61は、上凹溝21の内面（溝底面又は溝側面）に固着される上ベース片部と、スライダ部材33に固着される上固着片部と、を有する横断面Ｌ字状である。
【００２１】
下伸縮スライド部材３Ｂの固定枠31は、下取着部材72を介して、第２壁部12に固着している。下取着部材72は、第２壁部12の下縁部19に固着される下第１取着片部72ｄと、下第１取着片部72ｄに連設され第２壁部12寄りの下溝側壁部22ｆを下方から跨いで開状態の引戸２の下凹溝22内に侵入して配設され固定枠31が固着する下第２取着片部72ｅと、を有する横断面コの字状である。
【００２２】
下伸縮スライド部材３Ｂのスライダ部材33は、下固着部材62を介して、引戸２に固着している。下固着部材62は、下凹溝22の内面（溝底面又は溝側面）に固着される下ベース片部と、スライダ部材33に固着される下固着片部と、を有する横断面Ｌ字状である。
【００２３】
図２及び図３に示すように、引戸２の開状態（全開位置に配設された状態）において、伸縮スライド部材３（３Ａ，３Ｂ）は、固定枠31とレール部材32とスライダ部材33が壁厚方向（前後方向）に重なって配設されると共に、固定枠31とレール部材32とスライダ部材33の先端部が左右方向略同位置に配設された（固定枠31からレール部材32とスライダ部材33が突出せずに配設された）短縮状態となる。
【００２４】
伸縮スライド部材３は、図４に示すように、固定枠31からレール部材32が左右一方へ突出すると共に、レール部材32からスライダ部材33が左右一方へ突出した伸長状態になることで、引戸２が閉状態となる（全閉位置に配設される）。
【００２５】
引戸２の閉状態（伸縮スライド部材３の伸長状態）で、戸収容空間部10に残存している固定枠31に、レール部材32の（レール左右全長寸法Ｌ32の）４０％以上６０％以下が保持されると共に、レール部材32に、スライダ部材33の（スライダ左右全長寸法Ｌ33の）４０％以上６０％以下が保持される。４０％未満であると、引戸２の荷重を十分に支持できない虞れがあり、６０％を超えると、固定枠31を無駄に大きくする必要がある。
なお、レール部材32及びスライダ部材33は、図示省略のストッパ部によって、所定ストローク寸法を超える引き出しが阻止されるように設けている。
【００２６】
また、伸縮スライド部材３の伸長状態で、スライダ部材33は、固定枠31から完全に引き出された左右位置に配設される。つまり、固定枠31とスライダ部材33が正面視（背面視）で重なっていない。
このように、固定枠31からスライダ部材33を完全引き出し状態にできるため、引戸２の引き出し量（移動ストローク）を大きくして、出入口Ｅを幅広にすることができ、車椅子や歩行器を使用した通行が容易となる。
【００２７】
さらに、このような２回引き型の伸長構造とすることで、固定枠31から完全に引き出されたスライダ部材33にて、引戸２を長い（広い）範囲で支持して荷重を受ける。
また、引戸２の荷重を受けたスライダ部材33を、レール部材32にて、長い（広い）範囲で支持する。また、スライダ部材33からの荷重を受けたレール部材32を、固定枠31にて、長い（広い）範囲で支持する。
【００２８】
また、スライダ部材33を完全引き出し状態にできるため、引戸２の荷重を安定して十分に支持可能な長さにスライダ部材33を設定できる。
例えば、スライダ左右全長寸法Ｌ33を、引戸２の戸左右全長寸法Ｌ２の７０％以上１００％以下、好ましくは、８０％以上１００％以下に設定できる。下限値未満であると、引戸２の荷重を十分に支持できない虞れがあり、上限値を超えると、伸縮スライド部材３や戸収容空間部10の左右寸法が無駄に大きくなる。
【００２９】
さらに、戸収容空間部10に配設された開状態の引戸２を目隠しするための化粧カバー部材５を備えている。
化粧カバー部材５は、第２壁部12及び第１壁部11と供働きして（戸収容空間部10を覆って）左右一方へ開口する戸袋を構成している。
【００３０】
化粧カバー部材５は、間仕切壁本体１の第２壁部12の上縁部18に固着される水平面状の上壁部51と、上壁部51の先端から垂下面状に設けられ第２壁部12と引戸２に平行面状に配設される目隠し壁部52と、を有している。
【００３１】
さらに、図１及び図２に示すように、第１壁部11は、第１壁厚寸法Ｔ11をもって形成され、第２壁部12は、第１壁厚寸法Ｔ11よりも小さい第２壁厚寸法Ｔ12をもって形成されている。
第２壁厚寸法Ｔ12は、第１壁厚寸法Ｔ11の４０％以上５５％以下に設定している。より好ましくは、４０％以上５０％以下に設定している。
下限値未満であると、引戸２の荷重を受けて自立が不安定になる虞れや耐久性が低下する。上限値を超えると、引戸２が薄く低強度になる、或いは、第１壁部11から壁厚方向（前後方向）へ引戸２が大きく突出して、安全性や美観を損なう虞れがある。
【００３２】
そして、第２壁部12の表て面（前後一方面）12ｄから化粧カバー部材５の目隠し壁部52の表て面（前後他方面）５ｄまでの戸袋形成部厚さ寸法Ｔａを、第１壁厚寸法Ｔ11の８０％以上１００％以下に設定している。下限値未満であると、不安定になると共に、美観を損なう虞れがある。上限値を超えると、化粧カバー部材５等が第１壁部11から壁厚方向（前後方向）へ突出して、安全性が低下すると共に美観を損なう虞れがある。
また、引戸２の下端と設置面Ｇの間は所定の間隙寸法をもって離間しており（間隙が形成され）、清掃が容易である。
【００３３】
次に、本発明の間仕切引戸装置の使用方法（作用）について説明する。
先ず、施工する際は、設置面（床面）Ｇに、間仕切壁本体１を固設するだけで、施工が終了する。伸縮スライド部材３や引戸２の平行出し作業や化粧カバー部材５の取り付けは、製造工場で予め行えるからである。また、床レールや出入口上方位置の上ガイドレールの設置も不要なためである。
【００３４】
そして、施工終了後の使用時において、引戸２が開状態（全開位置）の場合は、短縮状態の上伸縮スライド部材３Ａは上凹溝21内に収納され、短縮状態の下伸縮スライド部材３Ｂは下凹溝22内に収納される。
引戸２は、把持部を操作しやすくするため戸収容空間部10（戸袋）から左右一方側縁部２ｇが露出しているが、それ以外の前後一方面は、第２壁部12によって外部から目隠しされ、前後他方面は、化粧カバー部材５によって外部から目隠しされるので、装置全体として一枚の間仕切部材のような外観を得ている。
【００３５】
使用者が引戸２の把持部を持って、左右一方側（閉走行側）へ引くと、固定枠31からレール部材32及びスライダ部材33が引き出されると共に、引戸２が戸収容空間部10から引き出され、引戸２の閉状態となる。
この引戸２の閉状態は、固定枠31は戸収容空間部10内（戸袋内）に残存し、レール部材32及びスライダ部材33において戸収容空間部10（固定枠31）から引き出された部位が、上凹溝21及び下凹溝22内に収容されているので、安全であると共に外部から目視できず美観を損ねない。
【００３６】
そして、引っ越しやレイアウト変更等の理由により、撤収する際は、間仕切壁本体１を設置面Ｇから分離（固定解除）すれば終了である。間仕切壁本体１の固設に対応する設置面Ｇの簡単な補修でよく、床レールや上ガイドレールの撤収や、レール溝埋め作業等の大掛かりな補修は必要ない。
【００３７】
また、図５乃至図７に示すように、本発明の間仕切引戸装置は、室内の側壁Ｋａと、柱や段差壁面等の室内突出部Ｋｂと、正面視矩形状（長方形状）の間仕切壁材９と、を適宜組合せて、個室Ｚを形成可能であり、様々な間取り（レイアウト）を実現できる。
【００３８】
そして、間仕切壁本体１に沿って左右方向に隣接して配設されると共に引戸構造を有していない矩形壁型の間仕切壁材９の壁厚寸法Ｔ９に対して、第１壁厚寸法Ｔ11及び戸袋形成部厚さ寸法Ｔａを、８０％以上１００％以下に設定するのが好ましい。このように、第１壁厚寸法Ｔ11及び戸袋形成部厚さ寸法Ｔａを設けることで、個室Ｚの外観や室内に統一感がでて、美観を向上できる。
【００３９】
なお、本発明は、設計変更可能であって、第２壁部12を個室外側（化粧カバー部材５を個室内側）として設置した場合を図示しているが、第２壁部12を個室内側（化粧カバー部材５を個室外側）となるように設置するも良い。化粧カバー部材５を上取着部材71を介して間仕切壁本体１に固着するも良い。上取着部材71と下取着部材72と上固着部材61と下固着部材62の形状は自由である。
【００４０】
以上のように、本発明の間仕切引戸装置は、鉛直面状に自立して個室Ｚを形成するための間仕切壁本体１と、間仕切壁本体１に平行面状に配設され個室Ｚの出入口Ｅを開状態と閉状態にするための引戸２と、を備え、さらに、間仕切壁本体１の上縁部18と引戸２の上縁部28とを連結する左右方向伸縮自在な上伸縮スライド部材３Ａと、間仕切壁本体１の下縁部19と引戸２の下縁部29とを連結する左右方向伸縮自在な下伸縮スライド部材３Ｂと、を備え、上伸縮スライド部材３Ａ及び下伸縮スライド部材３Ｂの伸縮によって、引戸２を左右方向収納引出し自在に構成したので、設置面Ｇにレールが不要で、凹凸の無い平坦な出入口Ｅを形成でき、バリアフリー化に最適である。設置面Ｇの清掃を容易に行うことができる。施工や撤収時の修復を容易かつ迅速に行うことができる。上伸縮スライド部材３Ａと下伸縮スライド部材３Ｂの平行出しや位置決め、間仕切壁本体１と引戸２の平行等を製造工場で行え、１つのユニットとして高精度かつ高品質に完成させることができる。現場にて、間仕切壁本体１を設置面Ｇに固設するだけで施工を終了できる。設置面Ｇの水平度の影響を受けず、施工を容易に行えると共にスムーズな開閉を実現できる。戸車によるゴミの巻き込みや脱輪等のトラブルが少なく耐久性に優れる。戸車やガイドローラによる揺れ（振れ）が無く、スムーズな開閉動作を安定して得ることができる。設置面Ｇの水平レベルに悪影響を受けず、施工が容易でありながらスムーズな開閉動作を得ることができる。また、天井面に部材を取着する必要がなく、天井高さや天井の水平などを考慮せずに施工できる。また、間取り変更等に移設や撤収の際に、間仕切壁本体１を固設した設置面Ｇの修復のみでよく、大掛かりな設置面Ｇの修復が不要となる。
【００４１】
また、引戸２は、上縁部28に、短縮状態の上伸縮スライド部材３Ａを収容するために左右方向に沿って形成された上凹溝21を有し、かつ、下縁部29に、短縮状態の下伸縮スライド部材３Ｂを収容するために左右方向に沿って形成された下凹溝22を有するので、引戸２の閉状態（引き出し状態）で、上伸縮スライド部材３Ａ及び下伸縮スライド部材３Ｂが露出せず、美観に優れると共に、手指の挟み込み等の事故を防止できる。また、ゴミ等の異物が上伸縮スライド部材３Ａ及び下伸縮スライド部材３Ｂに付着するのを防止でき、故障を少なくできる。
【００４２】
また、上伸縮スライド部材３Ａ及び下伸縮スライド部材３Ｂは、間仕切壁本体１に固着される固定枠31と、固定枠31に左右方向スライド自在に保持されるレール部材32と、レール部材32に左右方向スライド自在に保持されると共に引戸２に固着されるスライダ部材33と、を備えるので、引戸２を、安定してスムーズに引き出し・収納走行させることができる。耐荷重を大きくでき、大型の引戸２に対応できる。
【００４３】
また、間仕切壁本体１は、第１壁厚寸法Ｔ11をもって形成された第１壁部11と、第１壁部11に沿って左右方向に隣接して配設され第１壁厚寸法Ｔ11よりも小さい第２壁厚寸法Ｔ12をもって形成された第２壁部12と、第１壁部11と第２壁部12との段差によって形成され開状態の引戸２が配設される戸収容空間部10と、を有し、第２壁厚寸法Ｔ12は、第１壁厚寸法Ｔ11の４０％以上５５％以下に設定したので、引戸２の荷重を十分に安定して支えることができる。ガタつきや揺れを発生させずにスムーズな引戸２の開閉走行を実現できる。美観に優れ、引戸２と間仕切壁本体１との一体感が得られ、個室Ｚ内外から見て違和感や圧迫感を軽減できる。
【００４４】
また、閉状態の引戸２を目隠しするための化粧カバー部材５を備え、化粧カバー部材５は、間仕切壁本体１に固着したので、施工現場にて、化粧カバー部材５を固定するための工事（加工）を、設置面Ｇや天井面、壁面等に行う必要がなく、施工を迅速かつ容易にできる。製造工場で間仕切壁本体１と引戸２と化粧カバー部材５を１つのユニットとして組立・完成させることができる。間仕切壁本体１と化粧カバー部材５を一体状に演出でき、美観が優れる。
【符号の説明】
【００４５】
１  間仕切壁本体
２  引戸
３Ａ  上伸縮スライド部材
３Ｂ  下伸縮スライド部材
５  化粧カバー部材
10  戸収容空間部
11  第１壁部
12  第２壁部
18  上縁部
19  下縁部
21  上凹溝
22  下凹溝
28  上縁部
29  下縁部
31  固定枠
32  レール部材
33  スライダ部材
Ｅ  出入口
Ｔ11  第１壁厚寸法
Ｔ12  第２壁厚寸法
Ｚ  個室
【図１】
2018035517.tif 000003
【図２】
2018035517.tif 000004
【図３】
2018035517.tif 000005
【図４】
2018035517.tif 000006
【図５】
2018035517.tif 000007
【図６】
2018035517.tif 000008
【図７】
2018035517.tif 000009